【事件の表示】
　特許第３０２２５０８号「太陽電池モジュール」の請求項１ないし３に係る特許に対する特許異議の申立てについて、次のとおり決定する。
【結　論】
　訂正を認める。
　特許第３０２２５０８号の請求項１ないし３に係る特許を維持する。
【理　由】
１．手続きの経緯
　特許第３０２２５０８号の請求項１ないし３に係る発明は、平成１０年９月２４日に特許出願され、平成１２年１月１４日にその特許権の設定登録がなされ、その後、櫻井賢一より特許異議の申立てがなされ、取消しの理由が通知され、その指定期間内である平成１３年３月１３日に訂正請求（後に取り下げ）がなされ、さらに、取消しの理由が通知され、その指定期間内である平成１３年５月１５日に訂正請求がなされたものである。
　
２．訂正の適否についての判断
(1) 訂正の内容
　ア．訂正事項ａ
　特許請求の範囲の請求項１の記載について、「複数個の太陽電池で発生した電力を外部に出力する端子ボックス」とあるのを「複数個の太陽電池で発生した電力を外部に出力する細長形状の端子ボックス」と訂正する。
　イ．訂正事項ｂ
　特許請求の範囲の請求項１の記載について、「線状に配列された複数のバイパスダイオード」とあるのを「直線状に配列された複数のバイパスダイオード」と訂正する。
　ウ．訂正事項ｃ
　明細書の段落【００１４】の記載について、「【課題を解決するための手段】　上記従来の課題を解決するために、本発明太陽電池モジュールは、表面部材と裏面部材との間に複数個の太陽電池が封止されてなる太陽電池モジュールであって、前記複数個の太陽電池がマトリクス状に配列されると共に、当該複数個の太陽電池で発生した電力を外部に出力する端子ボックスが、マトリクス状に配列された前記太陽電池の行方向の外周部に対応する位置に取り付けられ、且つ前記複数個の太陽電池が偶数列に配列された太陽電池毎に複数の太陽電池群に分割されると共に、前記端子ボックスがその内部に前記太陽電池群毎に電気的に並列接続され且つ線状に配列された複数のバイパスダイオードを備えることを特徴とする。」とあるのを「【課題を解決するための手段】　上記従来の課題を解決するために、本発明太陽電池モジュールは、表面部材と裏面部材との間に複数個の太陽電池が封止されてなる太陽電池モジュールであって、前記複数個の太陽電池がマトリクス状に配列されると共に、当該複数個の太陽電池で発生した電力を外部に出力する細長形状の端子ボックスが、マトリクス状に配列された前記太陽電池の行方向の外周部に対応する位置に取り付けられ、且つ前記複数個の太陽電池が偶数列に配列された太陽電池毎に複数の太陽電池群に分割されると共に、前記端子ボックスがその内部に前記太陽電池群毎に電気的に並列接続され且つ直線状に配列された複数のバイパスダイオードを備えることを特徴とする。」と、訂正する。
(2) 訂正の目的の適否、新規事項の有無及び拡張・変更の存否
　上記訂正事項ａは、発明を特定する事項である「端子ボックス」をこれに含まれる事項である「細長形状の端子ボックス」に変更し、また、上記訂正事項ｂは、「線状に配列された複数のバイパスダイオード」をこれに含まれる事項である「直線状に配列された複数のバイパスダイオード」に変更し、しかも、「細長形状の端子ボックス」及び「直線状に配列された複数のバイパスダイオード」については、いずれも願書に添付された明細書の段落【００３０】欄に記載されているから、特許請求の範囲の減縮を目的とした明細書の訂正に該当する。また、上記訂正事項ｃは、上記訂正事項ａ及びｂと整合を図るものであるから、明瞭でない記載の釈明を目的とした明細書の訂正に該当する。そして、上記訂正事項ａ、ｂ及びｃは、いずれも新規事項の追加に該当せず、実質的に特許請求の範囲を拡張又は変更するものではない。
　したがって、上記訂正は、特許法第１２０条の４第２項及び同条第３項で準用する特許法第１２６条第２項及び第３項の規定に適合するので、当該訂正を認める。
　
３．特許異議申し立てについて
(1) 申し立て理由の概要
　申立人櫻井賢一は、本件請求項１ないし３に係る発明は、甲第１号証（「太陽光発電システムの設計と施工」太陽光発電懇話会編、平成８年７月２５日オーム社発行）、甲第２号証（特開平５−１６０４２５号公報）、甲第３号証（特許第２７０４４２９号公報）をもとに容易に発明をすることができたものであり、特許法第２９条第２項の規定により、特許を受けることができないものであるから、特許を取り消すべきと主張している。
(2) 本件請求項１ないし３に係る発明
　上記２．で示したように上記訂正が認められるから、本件請求項１ないし３に係る発明は、平成１３年５月１５日付けの訂正明細書の特許請求の範囲の請求項１ないし３に記載された事項により特定される次のとおりのものである。
「【請求項１】　表面部材と裏面部材との間に複数個の太陽電池が封止されてなる太陽電池モジュールであって、
前記複数個の太陽電池がマトリクス状に配列されると共に、当該複数個の太陽電池で発生した電力を外部に出力する細幅形状の端子ボックスが、マトリクス状に配列された前記太陽電池の行方向の外周部に対応する位置に取り付けられ、
且つ前記複数個の太陽電池が偶数列に配列された太陽電池毎に複数の太陽電池群に分割されると共に、前記端子ボックスがその内部に前記太陽電池群毎に電気的に並列接続され且つ直線状に配列された複数のバイパスダイオードを備えることを特徴とする太陽電池モジュール。
【請求項２】前記裏面部材が透光性を有することを特徴とする請求項１記載の太陽電池モジュール。
【請求項３】前記太陽電池が、表裏両側からの光の入射により発電可能な太陽電池であることを特徴とする請求項１又は２記載の太陽電池モジュール。」
(3) 刊行物等
　特許異議申立人が証拠として提示した刊行物には、それぞれ、以下のような発明が記載されている。
刊行物１：「太陽光発電システムの設計と施工」太陽光発電懇話会編、平成８年７月２５日オーム社発行（甲第１号証）
　この第１１頁第６行〜第１５行、図２・４には、充填材３で封止された太陽電池セル１であって、複数個の太陽電池がマトリクス状に配列された太陽電池モジュールが、また、第１３頁第６行〜第２０頁第５行並びに図２・５(b)及び図２・５(h)には、複数個の太陽電池で発生した電力を外部に出力する端子ボックスが取り付けられ、且つ直線状に配列された複数のバイパスダイオードを備えることを特徴とする太陽電池モジュールが、それぞれ記載されている。
刊行物２：特開平５−１６０４２５号公報（甲第２号証）
　この第６頁左欄第８行〜第２７行及び図１０には、複数個の太陽電池２が偶数列に配列された太陽電池２毎に複数の太陽電池群に分割されると共に、前記太陽電池群毎に電気的に並列接続されたバイパスダイオード４Ａを備えることを特徴とする太陽電池モジュールが記載されている。
刊行物３：特許第２７０４４２９号公報（甲第３号証）
　この第２頁左欄第３〜６行、左欄第３７行〜右欄第１２行、及び、第３頁右欄第９行〜第１９行並びに第１図及び第２図には、２つのガラス層１９の間に挟まれた太陽電池１８よりなる光電池モジュールであって、複数個の太陽電池で発生した電力を外部に出力する細長形状の接続箱４が、太陽電池の外周部に対応する位置に取り付けられたことを特徴とする光電池モジュールが記載されている。
(4) 対比・判断
　ア．本件請求項１に係る発明について
　本件請求項１に係る発明と上記刊行物１ないし３に記載の発明とを比較すると、上記刊行物１ないし３に記載の発明は、本件請求項１に係る発明を特定する事項である、「複数個の太陽電池で発生した電力を外部に出力する細幅形状の端子ボックスが」、「直線状に配列された複数のバイパスダイオードを備える」事項を備えていない。
　しかも、当該事項により本件請求項１に係る発明は、明細書記載の「端子ボックス１０をマトリクス状に配列された太陽電池３…の周辺部に対応する位置に設けることができ」るため、「裏面から入射する光が端子ボックス１０に遮られることなく太陽電池３…の裏面に入射することができ」、「また、端子ボックス１０の大きさを、」「小さくできるので、端子ボックス１０の製造コストを従来よりも安価にでき、太陽電池モジュールの製造コストを低減することができる」（訂正明細書段落【００３０】参照。）という顕著な効果を奏するものである。
　してみると、本件請求項１に係る発明は、上記刊行物１ないし３に記載された発明に基づいて当業者が容易に発明できたものとはいえない。
　イ．本件請求項２、３に係る発明について
　本件請求項２、３に係る発明は、いずれも本件請求項１に係る発明の構成要件を全て含み、さらに、他の構成要件を付加したものに相当するから、上記ア．で説示したと同様の理由により、上記刊行物１ないし３に記載された発明に基づいて当業者が容易に発明できたものとはいえない。
(5) むすび
　以上のとおりであるから、本件請求項１ないし３に係る発明の特許は、特許異議申し立ての理由及び証拠によっては取り消すことはできない。
　また、他に本件請求項１ないし３に係る発明の特許を取り消すべき理由を発見しない。
　よって、結論のとおり決定する。
【異議決定日】
平成１３年５月２８日（２００１．５．２８）
【訂正の要旨】
　特許請求の範囲の請求項１の「複数個の太陽電池で発生した電力を外部に出力する端子ボックス」を特許請求の範囲の限縮を目的として「複数個の太陽電池で発生した電力を外部に出力する
細長形状の
　また、併せて特許請求の範囲の請求項１の「線状に配列された複数のバイパスダイオード」を「
直線状に
　これに伴い、特許請求の範囲と発明の詳細な説明の記載との整合を図るため、明りょうでない記載の釈明を目的として、特許明細書段落番号【００１４】を、
　「【課題を解決するための手段】　上記従来の課題を解決するために、本発明太陽電池モジュールは、表面部材と裏面部材との間に複数個の太陽電池が封止されてなる太陽電池モジュールであって、前記複数個の太陽電池がマトリクス状に配列されると共に、当該複数個の太陽電池で発生した電力を外部に出力する
細長形状の
直線状
　と訂正する。
（５４）【発明の名称】
太陽電池パネル並びにその接続方法
（５７）【特許請求の範囲】
　【請求項１】　表面部材と裏面部材との間に複数個の太陽電池が封止されてなる太陽電池モジュールであって、
前記複数個の太陽電池がマトリクス状に配列されると共に、当該複数個の太陽電池で発生した電力を外部に出力する
細長形状の
且つ前記複数個の太陽電池が偶数列に配列された太陽電池毎に複数の太陽電池群に分割されると共に、前記端子ボックスがその内部に前記太陽電池群毎に電気的に並列接続され且つ
直線状
　【請求項２】前記裏面部材が透光性を有することを特徴とする請求項１記載の太陽電池モジュール。
　【請求項３】前記太陽電池が、表裏両側からの光の入射により発電可能な太陽電池であることを特徴とする請求項１又は２記載の太陽電池モジュール。
【発明の詳細な説明】
　【０００１】
　【発明の属する技術分野】本発明は太陽電池モジュールに係り、特に表面部材及び裏面部材が透光性を有することにより、表裏両側からの光入射を可能とした両面入射型の太陽電池モジュールに関する。
　【０００２】
　【従来の技術】クリーンで無尽蔵のエネルギー源である太陽から入射する光のエネルギーを直接電気に変換することのできる太陽電池は、石油・石炭等の化石エネルギーに代わる新しいエネルギー源として期待され、実用化が進められている。斯かる太陽電池を実際のエネルギー源として用いるにあたっては、通常複数枚の太陽電池を電気的に直列、或いは並列接続することによりその出力を高めた太陽電池モジュールが使用されている。
　【０００３】図６乃至９を参照して従来の太陽電池モジュールを説明する。ここで、図６は平面図、図７は図６におけるＢ−Ｂ’線の断面図、図８は背面図であり、後述する裏面部材を省略して示している。また、図９は、端子ボックスの内部構造を示す拡大図である。
　【０００４】これらの図において、１はガラス、プラスチック等の透光性を有する材料からなる表面部材であり、２は裏面部材である。裏面部材２としては通常Ａｌ箔を樹脂フィルムでサンドイッチした構造を有する３層構造の部材が用いられる。
　【０００５】３…は太陽電池であり、例えば内部にｐｎ接合を有する単結晶Ｓｉからなる太陽電池を用いることができる。ここでは、これら太陽電池３…が７２枚、８列×９行のマトリクス状に配列され、銅薄板等の金属薄板よりなる接続部材４…にて電気的に直列接続されている。そして、これらの太陽電池３…はＥＶＡ等の透光性且つ絶縁性を有する封止材５により表面部材１と裏面部材２との間に封止され、その周囲にはアルミニウム等の加工し易い金属からなる枠体６が取り付けられる。
　【０００６】太陽電池３…にて発生した電力は、電力引き出し線１１、１１により裏面部材２の背面に設けられた端子ボックス１０，１０へ引き出され、そしてこの端子ボックス１０，１０から電力ケーブル（不図示）により外部に出力される。
　【０００７】ところで、このように複数の太陽電池を直列接続して動作させる形態では、建物の影や降雪等の影響により一部の太陽電池への太陽光の入射が遮られた場合、正常に発電している他の太陽電池からの総発生電圧が逆方向電圧という形で上記一部の太陽電池に印加される。そしてこの逆方向電圧が太陽電池の耐圧を越えると、太陽電池が破壊されてしまう。或いは、上記一部の太陽電池が発熱し、ＥＶＡの変色、発泡又は太陽電池が割れる等の不具合が生じる。
　【０００８】このような問題を解決するため、通常は太陽電池を複数枚毎の太陽電池群に分割し、これらの太陽電池群と並列で且つ逆方向にバイパスダイオードを設けている。
　【０００９】例えば、上述した太陽電池モジュールでは７２枚の太陽電池３…を１８枚毎の太陽電池群の４組に分割し、そしてこれらの太陽電池群にバイパスダイオード２１を接続用配線１２により電気的に並列接続している。このバイパスダイオード２１は通常図９に示す如く端子ボックス１０内に配置されており、このため、端子ボックス１０の形状は比較的大きなものとなる。
　【００１０】
　【発明が解決しようとする課題】ところで、近年、表面側ばかりでなく裏面側から入射した光を用いても発電することのできる太陽電池が開発されている。そして、斯かる両面入射型の太陽電池を用いて太陽電池モジュールとする場合には、従来光不透過性の部材を用いて構成していた裏面部材をガラス等の透光性の部材で構成し、この裏面部材を介して光が太陽電池の裏面側へも入射可能な構造とされている。
　【００１１】然し乍ら、斯かる構造の太陽電池モジュールにあっては、裏面側から入射する光が端子ボックス１０、１０、電力引き出し線１１、１１及び接続用配線１２…により遮られ、一部の太陽電池の裏面側には光が入射しない。このため、この一部の太陽電池の電流値が表面側からの光入射により生じるものだけとなり、他の太陽電池に比べて低くなる。太陽電池モジュールにおいては複数枚の太陽電池が電気的に直列接続されているために、モジュール全体の出力電流は裏面側に光が入射しない上記一部の太陽電池の低い電流値となり、裏面側からの光入射の効果が小さくなってしまう。
　【００１２】また、上述のような両面入射型の太陽電池を用いるものに限らず、従来の太陽電池を用いた太陽電池モジュールにあっても、裏面部材を透光性の部材から構成し、入射した光の一部を裏面側に透過させるようにして意匠性を高めた太陽電池モジュールもある。斯かる太陽電池モジュールにあっても端子ボックス１０，１０や電力引き出し線１１、１１或いは接続用配線１２…のために裏面側に透過する光量が減少し、本来の効果を奏することができない。
　【００１３】本発明は、斯かる従来の課題を解決し、表裏両側からの光入射を可能とした両面入射型の太陽電池モジュールにおいて、発電効率が向上し、また意匠性の優れた太陽電池モジュールを提供することを目的とする。
　【００１４】
　【課題を解決するための手段】上記従来の課題を解決するために、本発明太陽電池モジュールは、表面部材と裏面部材との間に複数個の太陽電池が封止されてなる太陽電池モジュールであって、前記複数個の太陽電池がマトリクス状に配列されると共に、当該複数個の太陽電池で発生した電力を外部に出力する
細長形状の
直線状
　【００１５】
　【００１６】
　【００１７】加えて、前記裏面部材が透光性を有することを特徴とし、前記太陽電池が、表裏両側からの光の入射により発電可能な太陽電池であることを特徴とする。
　【００１８】
　【発明の実施の形態】以下に、本発明の実施の形態に係る太陽電池モジュールについて図１乃至４を参照して説明する。
　【００１９】図１は本実施形態に係る太陽電池モジュールの平面図であり、図２は図１におけるＡ−Ａ’線の断面図、図３は背面図、また、図４は端子ボックスの構造を示す説明図である。尚、これらの図において前述の図６乃至９と同一の機能を呈する部分には同一の符号を付している。
　【００２０】本実施形態にあっては、表面部材１としては外寸法１３００ｍｍ×８７５ｍｍのガラスを用いた。また、裏面部材２としては同一寸法のガラスを用い、両側から光入射の可能なモジュール構造としている。尚、裏面部材２はガラスに限る必要はなく透光性のプラスチック材料なども用いることもできる。このように透光性のプラスチック材料を用いる場合にあってはモジュールの防湿性を高めるために水蒸気透過率の低い材料を用いることが好ましく、水蒸気透過率が２０ｇ／ｍ２・ｄａｙ以下の材料を用いることが好ましい。さらには、水蒸気透過率が０．１ｇ／ｍ２・ｄａｙ以下の材料を用いることがより好ましい。尚、この水蒸気透過率の値はＪＩＳＺ０２０８−７３で規定されるモコン法により測定した値である。
　【００２１】３…は太陽電池であり、本実施形態にあっては表裏両面からの光入射により発電することのできる両面入射型の太陽電池とした。
　【００２２】図５は斯かる両面入射型の太陽電池の構造を示す構造断面図であり、同図において５１はｎ型の単結晶シリコン基板であり、その表面上には厚み約１００Åの真性非晶質シリコンからなるｉ型層５２及び厚み約１００Åのｐ型非晶質シリコンからなるｐ型層５３が積層され、該ｐ型層５３上にＩＴＯ，ＺｎＯ，ＳｎＯ２等の透光性導電膜からなる表面側透光性電極５４及び櫛形状に形成された金属からなる表面側集電極５５が形成されている。
　【００２３】また、単結晶シリコン基板５１の裏面上には厚み約１００Åの真性非晶質シリコンからなるｉ型層５６及び厚み約１００Åのｎ型非晶質シリコンからなるｎ型層５７が積層され、該ｎ型層５７上にＩＴＯ，ＺｎＯ，ＳｎＯ２等の透光性導電膜からなる裏面側透光性電極５８及び櫛形状に形成された金属からなる裏面側集電極５９が形成されている。
　【００２４】斯かる構成の太陽電池によれば、表面側ばかりでなく裏面側から入射する光も単結晶シリコン基板５１に入射し、該基板５１中で電子・正孔対を生成するために、発電に寄与することができる。
　【００２５】尚、両面入射型の太陽電池としては斯様に結晶系半導体材料と非晶質半導体材料とを組合わせた太陽電池に限るものではなく、結晶系半導体材料或いは非晶質半導体材料を単独で用いたものであっても良い。
　【００２６】そして、本実施形態にあっては、太陽電池３…を行方向（紙面上下方向）に１２個、列方向（紙面左右方向）に８個のマトリクス状に配列し、夫々の太陽電池３…を銅箔からなる接続部材４により電気的に直列接続している。
　【００２７】端子ボックス１０は、裏面部材２の背面側における、マトリクス状に配列された太陽電池３…の外周部に対応する位置に取り付けられ、枠部６にビス、ネジ等の固定手段を用いて固定されており、太陽電池３…にて発生した電力は電力引き出し線１１、１１により端子ボックス１０まで引き出されている。
　【００２８】また、上記９６枚の太陽電池３…は夫々２列毎、即ち２４枚づつの４組の太陽電池群に分割され、そしてこれら太陽電池群と電気的に並列に、バイパスダイオード２１…が接続用配線１２…により接続されている。
　【００２９】この際、端子ボックス１０の近辺では引き出し線１１、１１及び接続用配線１２…が近接して配置されることとなるので各配線間が短絡しない様にする必要があり、例えば各配線間にＰＥＴフィルム等の絶縁性フィルムを設けると良い。
　【００３０】これらのバイパスダイオード２１…は従来と同様に端子ボックス１０内に配置されるが、本実施形態にあってはバイパスダイオード２１…を直線状に配列することで、端子ボックス１０の形状を細長形状としている。このように細長形状とすることで、端子ボックス１０をマトリクス状に配列された太陽電池３…の周辺部に対応する位置に設けることができ、裏面から入射する光が端子ボックス１０に遮られることなく太陽電池３…の裏面に入射することができる。また、端子ボックス１０の大きさを、本実施形態の場合にあっては２１０ｍｍ×１５ｍｍ程度と小さくできるので、端子ボックス１０の製造コストを従来よりも安価にでき、太陽電池モジュールの製造コストを低減することができる。
　【００３１】また、本実施形態にあっては太陽電池３…を遇数列のマトリックス状に配列し、さらに偶数列毎（本実施形態にあっては２列毎）にバイパスダイオード２１を接続するようにしている。
　【００３２】このため、電力引き出し線１１、１１及びバイパスダイオードの接続用配線１２…を図１，３に示す如くマトリクス状に配列された太陽電池３…の同じ側、即ちマトリクスの行方向の最端部から取り出すことができる。従って、これらの配線１１及び１２が取り出される側の行方向の外周部に対応する位置に端子ボックス１０を設けることにより、上記各配線１１及び１２の長さを短縮でき、コスト低減を図ることができるとともに、これらの配線による裏面からの入射光の遮光を低減することができる。加えて、各配線１１及び１２をモジュール内で引き回す必要がなくなり、接続用配線１２と太陽電池３との間の電気的短絡を抑制することができる。
　【００３３】以上の通り、本発明太陽電池モジュールによれば端子ボックスを裏面部材の背面側における、太陽電池の外周部に対応する位置に取り付けているので、裏面側からの入射光が端子ボックスに遮られることなく太陽電池の裏面に到達するため、裏面側からの入射光も有効に発電に寄与させることができる。また、端子ボックスの形状が小さく、且つ端子ボックスまでの配線が短い太陽電池モジュールを提供できるので、意匠性にも優れている。
　【００３４】尚、以上の説明においては両面入射型の太陽電池モジュールについて説明したが、裏面部材２として従来の光不透過性の裏面部材を用いた太陽電池モジュールについても本発明を適用することができる。斯かる太陽電池モジュールにあっても、端子ボックスの形状が小さくなり、且つ端子ボックスまでの配線の長さを短くすることができるので、製造コストを低減することができる。
　【００３５】
　【発明の効果】以上のように、本発明によれば、表裏両側からの光入射を可能とした両面入射型の太陽電池モジュールにおいて、発電効率が向上し、また意匠性の優れた太陽電池モジュールを提供することができる。
【図面の簡単な説明】
　【図１】本発明に係る太陽電池モジュールの平面図である。
　【図２】図１におけるＡ−Ａ’線の断面図である。
　【図３】本発明に係る太陽電池モジュールの背面図である。
　【図４】本発明に係る端子ボックスの構造を説明するための説明図である。
　【図５】両面入射型の太陽電池の構造断面図である。
　【図６】従来の太陽電池モジュールの平面図である。
　【図７】図６におけるＢ−Ｂ’線の断面図である。
　【図８】従来の太陽電池モジュールの背面図である。
　【図９】従来の端子ボックスの構造を説明するための説明図である。
　【符号の説明】
１…表面部材、２…裏面部材、３…太陽電池、４…接続部材、５…封止材、６…枠体、１０…端子ボックス、１１…電力引き出し線、１２…接続用配線、２１…バイパスダイオード